(57)【要約】【課題】  可動部分と固定部分を適切に配置して確実に動作させられ、餌に誘引されて網に集った魚介類を確実に捕獲して逃さず回収でき、漁獲の効率を高められる魚介類捕獲具を提供する。【解決手段】  固定枠部１１に対し傾動可能な二つの可動枠部１３にカバー１２が一体化されて網１０の入口部が開閉可能とされ、カバー１２を開放状態とし、且つ水中で網１０内に捕獲対象物９０が存在する状態で引上げ用の糸１７を引上げると、網１０や固定枠部１１等に加わる下向きの荷重が大きくなり、これらを保持する保持手段１６が保持状態を解除することから、可動枠部１３がカバー１２により網入口部を閉止する位置まで傾動し、この網入口部を閉止して捕獲対象物９０が外に出ない状態を引上げの最後まで維持できることとなり、捕獲物の損失を無くせる。【選択図】  図７
2010284099.tif 000002
【特許請求の範囲】
【請求項１】
引上げ用の糸の端部に取付けられて水中に仕掛けられ、内部に入った魚介類を捕獲具ごと水中から引上げ可能とする魚介類捕獲具において、
袋状に編成された網と、
当該網の入口部に一体に配設されて網を広げた状態に保持する環状の固定枠部と、
少なくとも前記網の入口部を覆う大きさとされる可撓性材製のカバーと、
当該固定枠部を略半分に分割した形状の略枠状体で形成され、前記カバーの縁部を一体に取付けられ、固定枠部を二等分割した場合の分割位置の近傍に枠端部をそれぞれ取付けられて、固定枠部に沿う位置から前記網の底部側とは反対側へ起立する所定角度の範囲で固定枠部に対し傾動可能として配設される二つの可動枠部と、
前記固定枠部を略半分に分割した形状の枠状体で形成され、固定枠部における所定の対向位置間に前記可動枠部の傾動を妨げない配置として架設される吊下用支持部と、
当該吊下用支持部の最上部から吊下支持されて前記可動枠部の傾動経路と前記網に囲まれた領域に位置する餌保持部と、
前記引上げ用の糸と係合して前記吊下用支持部の最上部に配設され、前記可動枠部と一体のカバーが網入口部を開放する状態となる所定位置に可動枠部を保持可能とする保持手段とを備え、
前記糸による吊支状態で、前記網、固定枠部及び吊下用支持部に加わる下向きの荷重が所定の閾値を上回ると、前記保持手段による可動枠部の前記所定位置への保持状態が解除され、可動枠部がカバーで網入口部を閉止する向きに傾動することを
特徴とする魚介類捕獲具。
【請求項２】
前記請求項１に記載の魚介類捕獲具において、
前記カバーが、縁部所定範囲を固定枠部に取付けられて固定枠部と各可動枠部との間に掛渡して二つ配設され、
前記可動枠部が、前記糸先端の分岐状態とされた各分岐端部のそれぞれを可動枠部傾動中心から最も離れた所定箇所に連結され、
前記保持手段が、対向する二つの部分を有する形状に形成され、所定の弾性力に基づいて前記対向する部分の間に前記糸を挟持、拘束可能とされてなり、
前記糸による吊支状態で、前記網、固定枠部及び吊下用支持部に加わる下向きの荷重に伴って糸を保持手段に対し上方に相対移動させようとする反力が、前記弾性力に基づいて前記保持手段の前記対向する部分の間に糸を挟持拘束しようとする力を上回る場合には、保持手段に対し糸が上方へ相対移動し、当該移動する糸の分岐端部に引張られて可動枠部が固定枠部に沿う位置から吊下用支持部最上部に沿う位置まで傾動することを
特徴とする魚介類捕獲具。
【請求項３】
前記請求項１に記載の魚介類捕獲具において、
前記カバーが、二つの可動枠部間に掛渡して配設され、
前記可動枠部が、前記固定枠部に対し起立した側から固定枠部に沿う側への傾動方向に付勢され、
前記保持手段が、所定間隔をなして対向する少なくとも二つの部分を有する形状に形成され、前記吊下用支持部の最上部及び当該最上部に接近させた各可動枠部を所定の弾性力に基づいて前記対向する部分の間に保持して可動枠部を挟持、拘束可能とされ、引上げ用の糸を取付けられてなり、
前記糸による吊支状態で、前記網、固定枠部及び吊下用支持部に加わる下向きの荷重が、前記弾性力に基づいて前記保持手段の前記対向する部分の間に吊下用支持部及び可動枠部を保持しようとする力を上回る場合には、保持手段に対し吊下用支持部及び可動枠部が下方へ相対移動し、少なくとも可動枠部が保持手段の前記対向する部分の間から外れて拘束から解放され、固定枠部に沿う位置まで傾動することを
特徴とする魚介類捕獲具。
【請求項４】
前記請求項３に記載の魚介類捕獲具において、
前記弾性力を生じさせて、前記保持手段を前記吊下用支持部の最上部に対し近付ける向きに付勢する弾性体を備え、
前記糸による吊支状態で、前記吊下用支持部及び各可動枠部に加わる下向きの荷重が、前記弾性体の付勢力以下の場合には、保持手段が各可動枠部を挟持拘束する一方、前記網内に捕獲対象物を有して前記下向きの荷重が弾性体の付勢力を上回る場合には、保持手段に対し吊下用支持部及び可動枠部が下方へ相対移動し、各可動枠部が拘束から解放されることを
特徴とする魚介類捕獲具。
【発明の詳細な説明】
【技術分野】
【０００１】
本発明は、水中に投入されて魚介類を捕獲する魚介類捕獲具に関し、特に捕獲後に水中から引上げる際の魚介類の離脱を防止する魚介類捕獲具に関する。
【背景技術】
【０００２】
一般的な釣では、釣糸で支持される釣針に餌を取付け、餌に食い付いて釣針に掛った魚を釣上げるようにしているが、魚種によっては、コマセと呼ばれる餌の集合体を水中に投入し、水中に拡散した餌で魚を誘引して釣針の餌に食付く確率を高めるなどの工夫がなされている。この他、さらに捕獲成功率を向上させるため、餌に釣られて集ってきた魚をあらかじめ仕掛けておいた網を引上げることで捕獲する手法もある。こうした魚介類の捕獲に使用される捕獲具としては、様々な種類のものが用いられているが、網を利用し、釣糸の端に針等の代りに取付けて任意のポイントに投入して魚の捕獲を図るものが、釣と同様の感覚で捕獲できる点から近年注目を集めている。こうした従来の魚介類捕獲具の一例として、登録実用新案第３０６７８６１号公報に開示されるものがある。
【先行技術文献】
【特許文献】
【０００３】
【特許文献１】登録実用新案第３０６７８６１号公報
【発明の概要】
【発明が解決しようとする課題】
【０００４】
従来の魚介類捕獲具は前記特許文献で示される構成を有しており、網の口部分が引上げの際閉じることで網内からの魚の離脱防止を図ったものとなっている。この従来器具では、水中でも確実に網口を開放させるために、網枠を開き方向に付勢するコイルスプリングにはある程度の付勢力が必要となるが、引上げ時にそれに対抗して網枠に閉じる動作を行わせるためには、引上げられる網枠（可動部分）に対しその動作の中心部を相対的に下げるか静止させることが必要となり、網枠の枢着部分に十分な下向きの反力を与える必要がある。前記従来器具では、可動部分に対し基準となる固定部分が軸部のみであり、可動部分を確実に動作させるための十分な反力を発生させるためには、軸部を重くするか、大型又は多数の魚を網内に捕えて網全体を重くしておかなければならず、機構的に実現が極めて困難であるという課題を有していた。
【０００５】
また、前記従来器具の場合、引上げに際し傾動する枠が開いた状態で引上げ糸に対しバランスを取って全体を略水平に維持する仕組みが存在しないため、網内に魚がいる状態での引上げの途中で網全体が傾いた状態になりやすく、閉じる前に魚を逃してしまう危険性もあった。
【０００６】
本発明は前記課題を解消するためになされたもので、可動部分と固定部分を適切に配置して確実に動作させられ、餌に誘引されて網に集った魚介類を確実に捕獲して逃さず回収でき、漁獲の効率を高められる魚介類捕獲具を提供することを目的とする。
【課題を解決するための手段】
【０００７】
本発明に係る魚介類捕獲具は、引上げ用の糸の端部に取付けられて水中に仕掛けられ、内部に入った魚介類を捕獲具ごと水中から引上げ可能とする魚介類捕獲具において、袋状に編成された網と、当該網の入口部に一体に配設されて網を広げた状態に保持する環状の固定枠部と、少なくとも前記網の入口部を覆う大きさとされる可撓性材製のカバーと、当該固定枠部を略半分に分割した形状の略枠状体で形成され、前記カバーの縁部を一体に取付けられ、固定枠部を二等分割した場合の分割位置の近傍に枠端部をそれぞれ取付けられて、固定枠部に沿う位置から前記網の底部側とは反対側へ起立する所定角度の範囲で固定枠部に対し傾動可能として配設される二つの可動枠部と、前記固定枠部を略半分に分割した形状の枠状体で形成され、固定枠部における所定の対向位置間に前記可動枠部の傾動を妨げない配置として架設される吊下用支持部と、当該吊下用支持部の最上部から吊下支持されて前記可動枠部の傾動経路と前記網に囲まれた領域に位置する餌保持部と、前記引上げ用の糸と係合して前記吊下用支持部の最上部に配設され、前記可動枠部と一体のカバーが網入口部を開放する状態となる所定位置に可動枠部を保持可能とする保持手段とを備え、前記糸による吊支状態で、前記網、固定枠部及び吊下用支持部に加わる下向きの荷重が所定の閾値を上回ると、前記保持手段による可動枠部の前記所定位置への保持状態が解除され、可動枠部がカバーで網入口部を閉止する向きに傾動するものである。
【０００８】
このように本発明によれば、網の入口部が一体化された固定枠部に対し、傾動可能とされた二つの可動枠部にカバーが一体化されて網入口部が開閉可能とされてなり、保持手段を用いてカバーを開放状態とする位置に可動枠部を保持した状態で、水中にあって網内に捕獲対象物が存在する状態で引上げ用の糸を引上げた場合など、保持手段の可動枠部の現状を維持しようとする力よりも、捕獲対象物を取込んだ網や固定枠部等に加わる下向きの荷重が大きくなると、保持手段が保持状態を解除することにより、可動枠部が傾動する状態に移行し、この可動枠部がカバーにより網入口部を閉止する位置まで傾動して、カバーで網入口部を閉止して捕獲対象物が外に出ない状態を引上げの最後まで維持でき、捕獲物の損失を無くせる。また、傾動する可動枠部に対し吊下用支持部及び固定枠部が相対的に静止状態を維持でき、可動枠部の動作に一切抵抗を与えないことで確実に機構を動作させられ、捕獲に係る動作機構部分の信頼性を高められ、捕獲を無理なく実行できる。
【０００９】
また、本発明に係る魚介類捕獲具は必要に応じて、前記カバーが、縁部所定範囲を固定枠部に取付けられて固定枠部と各可動枠部との間に掛渡して二つ配設され、前記可動枠部が、前記糸先端の分岐状態とされた各分岐端部のそれぞれを可動枠部傾動中心から最も離れた所定箇所に連結され、前記保持手段が、対向する二つの部分を有する形状に形成され、所定の弾性力に基づいて前記対向する部分の間に前記糸を挟持、拘束可能とされてなり、前記糸による吊支状態で、前記網、固定枠部及び吊下用支持部に加わる下向きの荷重に伴って糸を保持手段に対し上方に相対移動させようとする反力が、前記弾性力に基づいて前記保持手段の前記対向する部分の間に糸を挟持拘束しようとする力を上回る場合には、保持手段に対し糸が上方へ相対移動し、当該移動する糸の分岐端部に引張られて可動枠部が固定枠部に沿う位置から吊下用支持部最上部に沿う位置まで傾動するものである。
【００１０】
このように本発明によれば、固定枠部と可動枠部との間にカバーが配設されて網入口部が開閉可能とされてなり、糸の分岐端部を取付けられた可動枠部がそれ自体やカバーの重さ等によって固定枠部に沿う位置にとどまる状態で、水中にあって網内に捕獲対象物が存在する状態で引上げ用の糸を引上げた場合など、保持手段の対向する部分間に糸を挟持拘束しようとする力よりも、網内に捕獲対象物が存在することに伴う下向きの荷重に基づいて糸が保持手段に対し上方に相対移動しようとする力が大きくなると、保持手段の拘束が解除されて糸が上方に相対移動することにより、可動枠部が糸の分岐端部に引張られて、吊下用支持部に沿う位置まで傾動して、可動枠部に取付けられたカバーで網入口部を覆うことができ、このカバーで網入口部を閉止して捕獲対象物が外に出ない状態を引上げの最後まで維持でき、捕獲物の損失を無くせる。
【００１１】
また、本発明に係る魚介類捕獲具は必要に応じて、前記カバーが、二つの可動枠部間に掛渡して配設され、前記可動枠部が、前記固定枠部に対し起立した側から固定枠部に沿う側への傾動方向に付勢され、前記保持手段が、所定間隔をなして対向する少なくとも二つの部分を有する形状に形成され、前記吊下用支持部の最上部及び当該最上部に接近させた各可動枠部を所定の弾性力に基づいて前記対向する部分の間に保持して可動枠部を挟持、拘束可能とされ、引上げ用の糸を取付けられてなり、前記糸による吊支状態で、前記網、固定枠部及び吊下用支持部に加わる下向きの荷重が、前記弾性力に基づいて前記保持手段の前記対向する部分の間に吊下用支持部及び可動枠部を保持しようとする力を上回る場合には、保持手段に対し吊下用支持部及び可動枠部が下方へ相対移動し、少なくとも可動枠部が保持手段の前記対向する部分の間から外れて拘束から解放され、固定枠部に沿う位置まで傾動するものである。
【００１２】
このように本発明によれば、二つの可動枠部間にカバーが配設されて網入口部が開閉可能とされてなり、可動枠部を保持手段による挟持で吊下用支持部に沿う位置に拘束した状態で、水中にあって網内に捕獲対象物が存在する状態で引上げ用の糸を引上げた場合など、保持手段の対向する部分間に吊下用支持部及び可動枠部を保持しようとする力よりも、捕獲対象物を取込んだ網及び固定枠部に連結している吊下用支持部及び可動枠部に加わる下向きの荷重が大きくなると、保持手段に対し吊下用支持部及び可動枠部が下方に相対移動することにより、可動枠部が保持手段による拘束から解放され、この可動枠部が付勢力により固定枠部に沿う位置まで傾動して、可動枠部と一体のカバーで網入口部を覆うことができ、このカバーで網入口部を閉止して捕獲対象物が外に出ない状態を引上げの最後まで維持でき、捕獲物の損失を無くせる。
【００１３】
また、本発明に係る魚介類捕獲具は必要に応じて、前記弾性力を生じさせて、前記保持手段を前記吊下用支持部の最上部に対し近付ける向きに付勢する弾性体を備え、前記糸による吊支状態で、前記吊下用支持部及び各可動枠部に加わる下向きの荷重が、前記弾性体の付勢力以下の場合には、保持手段が各可動枠部を挟持拘束する一方、前記網内に捕獲対象物を有して前記下向きの荷重が弾性体の付勢力を上回る場合には、保持手段に対し吊下用支持部及び可動枠部が下方へ相対移動し、各可動枠部が拘束から解放されるものである。
【００１４】
このように本発明によれば、可動枠部挟持手段を付勢する弾性体を配設し、可動枠部挟持手段に引上げ用の糸からの上向きの力が加わっていても、捕獲対象物が網内に存在せず吊下用支持部及び各可動枠部に加わる荷重が弾性体の付勢力以下の場合は、各可動枠部が可動枠部挟持手段で拘束される一方、捕獲対象物が網内に存在して吊下用支持部及び各可動枠部に加わる荷重が弾性体の付勢力を上回る状態では、可動枠部が拘束状態から解放されて傾動し、網入口部をカバーで閉止する状態が得られることにより、捕獲対象物が網内に存在して荷重が大きくなった状態での引上げの際のみ網入口部をカバーで閉じ、それ以外は確実に網入口部を開放状態に維持できることとなり、水中への投入の際などに誤って可動枠部が拘束から解放されて網入口部が閉じてしまうこともなく、適切に捕獲対象物を網内に誘引できる状態で水中への仕掛けが行えると共に、捕獲対象物が網内に存在する状態で引上げる際にはスムーズに可動枠部を動作させて捕獲対象物の網からの離脱を阻止できる。
【図面の簡単な説明】
【００１５】
【図１】本発明の第１の実施形態に係る魚介類捕獲具の網折りたたみ状態での正面図である。
【図２】本発明の第１の実施形態に係る魚介類捕獲具の網折りたたみ状態での平面図である。
【図３】本発明の第１の実施形態に係る魚介類捕獲具の網折りたたみ状態での右側面図である。
【図４】本発明の第１の実施形態に係る魚介類捕獲具の水中仕掛状態における概略縦断面図である。
【図５】本発明の第１の実施形態に係る魚介類捕獲具の捕獲状態における引上げ開始時の概略縦断面図である。
【図６】本発明の第１の実施形態に係る魚介類捕獲具の引上げ時における網入口閉止中途状態の概略縦断面図である。
【図７】本発明の第１の実施形態に係る魚介類捕獲具における網入口閉止完了状態の概略縦断面図である。
【図８】本発明の第２の実施形態に係る魚介類捕獲具の網折りたたみ状態での正面図である。
【図９】本発明の第２の実施形態に係る魚介類捕獲具の網折りたたみ状態での平面図である。
【図１０】本発明の第２の実施形態に係る魚介類捕獲具の網折りたたみ状態での右側面図である。
【図１１】本発明の第２の実施形態に係る魚介類捕獲具の水中仕掛状態における概略縦断面図である。
【図１２】本発明の第２の実施形態に係る魚介類捕獲具の捕獲状態における引上げ開始時の概略縦断面図である。
【図１３】本発明の第２の実施形態に係る魚介類捕獲具における網入口閉止完了状態の概略縦断面図である。
【図１４】本発明の第３の実施形態に係る魚介類捕獲具の水中仕掛状態における概略縦断面図である。
【図１５】本発明の第３の実施形態に係る魚介類捕獲具の捕獲状態における引上げ開始時の概略縦断面図である。
【発明を実施するための形態】
【００１６】
（本発明の第１の実施形態）
以下、本発明の第１の実施形態に係る魚介類捕獲具を、前記図１ないし図７に基づいて説明する。
前記各図において、本実施形態に係る魚介類捕獲具１は、筒形の袋状に編成された網１０と、この網１０の入口部に一体に配設されて網１０を広げた状態に保持する円環状の固定枠部１１と、網１０の入口部を覆う大きさとされる網状のカバー１２と、この固定枠部１１を略半分にした半円形状の枠状体で形成されて、前記カバー１２の縁部を一体に取付けられ、固定枠部１１に対し傾動可能として配設される二つの可動枠部１３と、前記固定枠部１１を略半分にした半円形状の枠状体で形成され、固定枠部１１における所定の対向位置間に架設される吊下用支持部１４と、この吊下用支持部１４から吊下支持される餌保持部１５と、前記吊下用支持部１４の最上部及びこの最上部に接近させた各可動枠部１３を挟持して可動枠部１３を必要に応じ拘束する保持手段１６とを備える構成である。
【００１７】
前記網１０は、円筒形の袋状に編成され、入口部に固定枠部１１を取付けられると共に、底部にもこの底部を略平坦な状態に保つ環状の底枠体１０ａを取付けられ、こうして入口部や底部に枠体を一体化させていることで、網内の円形の開口領域の形状を維持可能とされる構成である。この網１０の底部には、捕獲対象外となる小型の魚介類を網から逃すための網目より大きい孔が設けられている。
【００１８】
前記可動枠部１３は、二つの半円形状の枠状体であり、固定枠部１１を二等分割した場合の分割位置、すなわち、固定枠部１１の円周における対向する二箇所、の近傍に端部をそれぞれ取付けられて固定枠部１１に対し傾動可能に配設され、それぞれの傾動範囲を、枠全体が固定枠部１１に沿う位置から網１０の底部から離れる側へ約９０°傾動した位置までの角度範囲とされてなる構成である。各可動枠部１３の傾動中心となる枠端部から最も離れた枠中間位置には、引上げ用の糸１７の分岐した各分岐端部１７ａが連結される。
【００１９】
これら各可動枠部１３と固定枠部１１にカバー１２の縁部が一体に取付けられ、可動枠部１３と固定枠部１１との間にカバー１２が掛渡されていることで、可動枠部１３が固定枠部１１に沿った状態では網１０が外部に開放され、また可動枠部１３が網底部から離れる側へ傾動すると、可動枠部１３に取付けられたカバー１２の縁部も固定枠部１１から離れてカバー１２が広がり、網１０の入口部がカバー１２で塞がれる仕組みである。
【００２０】
なお、各可動枠部１３は、その傾動中心部分で且つ固定枠部１１に取付けられる両端部にばねを組込まれて、吊下用支持部１４に沿って起立した位置から固定枠部１１に沿った位置へ向けて可動枠部１３を傾動させようとする付勢力を加えられる構成とすることもでき、引上げ用の糸１７で引張られていない間は確実に固定枠部１１に沿った状態とすることができる。
【００２１】
前記吊下用支持部１４は、半円形状の枠状体で形成され、固定枠部１１における可動枠部１３の取付箇所に可動枠部１３同様に傾動可能として架設される構成である。この吊下用支持部１４の固定枠部１１から最も離れた箇所となる、固定枠部１１に取付けられた両端部間の中間位置、すなわち最上部には、餌保持部１５が取付けられると共に、保持手段１６が配置される構成である。
【００２２】
この吊下用支持部１４の最上部から吊下支持される餌保持部１５は、捕獲対象物９０である魚介類を誘引する餌を入れられてこの餌を水中で少しずつ周囲へ拡散させられる籠状体とされてなり、可動枠部１３の傾動経路と網１０に囲まれた領域に位置して、傾動動作する可動枠部１３とは接触しない状態を保ちつつ捕獲対象物を網１０内に誘引可能な配置とされる。
【００２３】
前記保持手段１６は、所定形状の二つの部材を向い合わせて開閉可能に組合わせて形成され、吊下用支持部１４の最上部に取付けられ、前記二部材を弾性体で閉方向に付勢され、これら二部材の閉じようとする近接部分間に糸１７を挟持、拘束する一方、この拘束力を上回る相対上向きの力が糸１７に加わると、糸１７の上方への相対移動を許容する構成である。
【００２４】
この保持手段１６が、通常状態では糸１７を挟持拘束することで、この拘束位置より先端側の分岐端部１７ａを取付けられている可動枠部１３は、糸１７に引張られることはなく固定枠部１１に沿った状態を保つこととなり、網１０の入口部を開放状態に維持できる（図４参照）。そして、保持手段１６がこの糸１７を挟持する状態で、網１０に存在する捕獲対象物９０の重量や引上げ時の水圧等といった下向きの大きな荷重が網１０や固定枠部１１に加わると、これらと連結された吊下用支持部１４や保持手段１６は下方に移動しようとすることで、保持手段１６に挟持された糸１７は逆向きの上方に相対移動しようとすることとなる。下向きの荷重に伴うこの糸１７の上方に相対移動しようとする力が保持手段１６の糸１７を挟持拘束する力を上回ると、糸１７は拘束に関わりなくそのまま上方に移動することとなる（図５参照）。この糸１７の移動により可動枠部１３は糸１７の分岐端部から力を受ける状態となり、可動枠部１３が糸１７に引張られて固定枠部１１に沿う位置から吊下用支持部１４の最上部寄り位置まで傾動し、網１０の入口部をカバー１２で閉止できる仕組みとなっている。
【００２５】
この保持手段１６は糸１７を挟持可能とされる他に、糸１７の分岐端部１７ａの通る貫通部を設けられてなり、糸１７を引上げて糸１７が保持手段１６に対し上方に相対移動した場合でも、糸１７が保持手段１６や吊下用支持部１４から大きく離れることはなく、保持手段１６を介して吊下用支持部１４にも糸１７の引上げ力が加わり、器具全体を安定させてバランスを崩すことなく引上げられることとなる。
【００２６】
次に、前記構成に基づく魚介類捕獲具の使用状態について説明する。まず準備として、袋状の網１０を深さ方向に小さくたたんで底枠体１０ａを固定枠部１１に近接させ、また可動枠部１３を固定枠部１１に沿う位置としてから、保持手段１６で引上げ用の糸１７を挟持し、そのまま糸１７を引上げても保持手段１６と糸１７との位置関係が変化せず各可動枠部１３が傾動しない状態に保持しておく。
【００２７】
餌保持部１５に餌を充填したら、捕獲具全体を糸１７で吊下げ支持している状態で、海や川等における捕獲対象物９０となる魚介類の捕獲に適した箇所に投入し、吊下げ状態を維持して水中の所定深さに保持固定する。保持手段１６で糸１７を挟持して、可動枠部１３を固定枠部１１に沿わせた状態を保持していることで、捕獲具全体を捕獲地点に投入しても可動枠部１３が動いて網１０の入口をカバー１２で塞ぐようなことはなく、捕獲対象物が網１０の入口部から網内に容易に進入できる状態が確保される（図４参照）。
【００２８】
水中では、餌保持部１５中の餌が周囲に拡散していき、捕獲対象物９０を網１０におびき寄せることとなる。そして、網１０に餌を目当てに捕獲対象物９０が集った状態で、引上げ用の糸１７を引上げると、捕獲対象物９０が網１０内に取込まれ、網１０内の捕獲対象物９０の重量等で網１０及び固定枠部１１が下向きに荷重を受けることとなる。これにより固定枠部１１に連結する吊下用支持部１４や保持手段１６も荷重により下向きに移動しようとする。
【００２９】
これに対し、引上げ用の糸１７の引上げに伴って、糸１７は保持手段１６に対し上方に相対移動する向きへ強く力を加えられることとなり、糸１７は保持手段１６の挟持による拘束力に打勝って上方へ移動し（図５参照）、これにより糸１７の分岐端部１７ａを取付けられた可動枠部１３が糸１７に引張られる形で傾動し、固定枠部１１に沿う位置から吊下用支持部１４に沿う位置まで達することとなる（図６、図７参照）。
【００３０】
こうして可動枠部１３が傾動して吊下用支持部１４に沿う位置に達すると、固定枠部１１に囲まれた網１０の入口部は、可動枠部１３の傾動により広がったカバー１２により閉止状態となる。この網１０の入口部をカバー１２で閉止状態とした上で捕獲具全体を引上げられることから、捕獲対象物９０が網１０から外に出られない状態を最後まで保ちながら引上げることができ、捕獲物の引上げ途中での逸失の危険性を排除して捕獲成功率を高められる。
【００３１】
このように、本実施形態に係る魚介類捕獲具においては、固定枠部１１と可動枠部１３との間にカバー１２が配設されて網入口部が開閉可能とされてなり、糸１７の分岐端部１７ａを取付けられた可動枠部１３がそれ自体やカバー１２の重さ等によって固定枠部１１に沿う位置にとどまる状態から、水中にあって網内に捕獲対象物９０が存在する状態で引上げ用の糸を引上げた場合など、保持手段１６の対向する部分間に糸１７を挟持拘束しようとする力よりも、網１０内に捕獲対象物９０が存在することに伴う下向きの荷重に基づいて糸１７が保持手段１６に対し上方に相対移動しようとする力が大きくなると、保持手段１６の拘束が解除されて糸１７が上方に相対移動することから、可動枠部１３が糸１７の分岐端部１７ａに引張られて、吊下用支持部１４に沿う位置まで傾動して、可動枠部１３に取付けられたカバー１２で網入口部を覆うことができ、このカバー１２で網入口部を閉止して捕獲対象物９０が外に出ない状態を引上げの最後まで維持でき、捕獲物の損失を無くせる。
【００３２】
（本発明の第２の実施形態）
本発明の第２の実施形態に係る魚介類捕獲具を、図８ないし図１３に基づいて説明する。
前記各図において、本実施形態に係る魚介類捕獲具２は、前記第１の実施形態同様、網２０と、固定枠部２１と、カバー２２と、可動枠部２３と、吊下用支持部２４と、餌保持部２５と、保持手段２６とを備える一方、異なる点として、前記保持手段２６が、吊下用支持部２４の最上部及びこの最上部に接近させた各可動枠部２３を挟持して可動枠部２３を必要に応じ拘束する構成を有してなるものである。
【００３３】
前記可動枠部２３は、前記第１の実施形態同様、二つの半円形状の枠状体とされ、固定枠部２１に対し、固定枠部２１に沿う位置から網２０の底部から離れる側へ約９０°傾動した位置までの角度範囲で傾動可能に配設される構成を備える一方、異なる点として、二つの可動枠部２３に同じ一つのカバー２２の縁部が一体に取付けられる構成を有しており、可動枠部２３が固定枠部２１に沿った状態では網２０の入口部がカバー２２で塞がれ、また可動枠部２３が網底部から離れる側へ傾動するとカバー２２の縁部も網入口部から離れて網２０が外部に開放される仕組みである。
【００３４】
また、各可動枠部２３は、その傾動中心部分で且つ固定枠部２１に取付けられる両端部にばねを組込まれており、吊下用支持部２４に沿って起立した位置から固定枠部２１に沿った位置へ向けて可動枠部２３を傾動させようとする付勢力を加えられる構成である。
【００３５】
前記保持手段２６は、端部を屈曲させた略線状の弾性変形可能な部材を所定間隔で複数それぞれ対向する配置で一体化して形成され、これら略線状部材間に吊下用支持部２４の最上部及びこの最上部に接近させた各可動枠部２３を保持して可動枠部２３を挟持、拘束する一方、一定以上の下向きの荷重が吊下用支持部２４や可動枠部２３に加わると、弾性変形して吊下用支持部２４及び可動枠部２３の下方への相対移動を許容し、可動枠部２３を略線状部材間から離脱させて拘束から解放する構成である。
【００３６】
この保持手段２６が、可動枠部２３を吊下用支持部２４に沿った状態でこれらを挟持拘束することで、通常は網２０の入口部を開放状態に維持できる（図１１参照）。そして、保持手段２６がこの吊下用支持部２４と可動枠部２３を挟持する状態で、網２０に存在する捕獲対象物９０の重量や引上げ時の水圧等といった下向きの十分な荷重が網２０や固定枠部２１に加わると、これらと連結された可動枠部２３、吊下用支持部２４は下方に移動しようとして、保持手段２６をなす略線状部材の屈曲して互いに近寄った状態となっている下端部に接触し、これらを押広げて、すなわち、弾性変形させて、最終的には可動枠部２３が前記略線状部材の間から外れた位置まで相対移動することとなる（図１２参照）。これにより可動枠部２３は保持手段２６による拘束から解放され、固定枠部２１に沿う位置まで付勢力により傾動し、網２０の入口部をカバー２２で閉止できる仕組みとなっている。
【００３７】
この保持手段２６には引上げ用の糸２７が取付けられるが、この糸２７の保持手段２６への取付位置から所定長さ離れた糸端部は吊下用支持部２４最上部に固定される。よって、糸２７を引上げた場合、まず保持手段２６が引上げられて吊下用支持部２４及び可動枠部２３に対し上方へ相対移動した後で、吊下用支持部２４にも力が加わり、器具全体が引上げられることとなる。
【００３８】
次に、前記構成に基づく魚介類捕獲具の使用状態について説明する。まず準備として、袋状の網２０を深さ方向に小さくたたんで底枠体２０ａを固定枠部２１に近接させ、また可動枠部２３を吊下用支持部２４に沿うまで付勢力に抗して傾動させてから保持手段２６の略線状部材下端部の屈曲部分を吊下用支持部２４最上部及び可動枠部２３より下側に位置させ、可動枠部２３と吊下用支持部２４を保持手段２６で挟持し、各可動枠部２３を傾動しないよう拘束した状態に保持しておく。
【００３９】
餌保持部２５に餌を充填したら、捕獲具全体を引上げ用の糸２７で吊下げ支持している状態で、海や川等における捕獲対象物９０となる魚介類の捕獲に適した箇所に投入し、吊下げ状態を維持して水中の所定深さに保持固定する。保持手段２６で二つの可動枠部２３を挟持して、可動枠部２３を吊下用支持部２４に沿わせた状態を保持していることで、捕獲具全体を捕獲地点に投入しても可動枠部２３が動いて網２０の入口をカバー２２で塞ぐようなことはなく、捕獲対象物が網２０の入口部から網内に容易に進入できる状態が確保される（図１１参照）。
【００４０】
水中では、餌保持部２５中の餌が周囲に拡散していき、捕獲対象物９０を網２０におびき寄せることとなる。そして、網２０に餌を目当てに捕獲対象物９０が集った状態で、引上げ用の糸２７を引上げると、捕獲対象物９０が網２０内に取込まれ、網２０内の捕獲対象物９０の重量等で網２０及び固定枠部２１が下向きに荷重を受けることとなる。これにより固定枠部２１に連結する吊下用支持部２４や可動枠部２３も荷重により下向きに移動しようとする。
【００４１】
また、引上げ用の糸２７の引上げに伴って、保持手段２６も引上げられて吊下用支持部２４及び可動枠部２３に対し上方向へ移動することで、全体として吊下用支持部２４及び可動枠部２３は保持手段２６に対し下方へ相対移動することとなり、吊下用支持部２４と可動枠部２３は保持手段２６の略線状部材の弾性力を上回る下向きの荷重に伴って、略線状部材を弾性変形させつつ略線状部材の間から外れた位置まで移動する（図１２参照）。
【００４２】
こうして可動枠部２３が保持手段２６による拘束から解放されると、可動枠部２３は付勢力により傾動して吊下用支持部２４に沿う位置から固定枠部２１に沿う位置まで達し、網２０の入口部をカバー２２により閉止状態とする（図１３参照）。この網２０の入口部をカバー２２で閉止状態とした上で捕獲具全体を引上げられることから、捕獲対象物９０が網２０から外に出られない状態を最後まで保ちながら引上げることができ、捕獲物の引上げ途中での逸失の危険性を排除して捕獲成功率を高められる。
【００４３】
このように、本実施形態に係る魚介類捕獲具においては、網２０の入口部と一体化された固定枠部２１に対し、傾動する二つの可動枠部２３に網状のカバー２２が一体化されて網入口部が開閉可能とされてなり、可動枠部２３を保持手段２６による挟持で吊下用支持部２４に沿う位置に拘束した状態で、水中にあって網２０内に捕獲対象物９０が存在する状態で引上げ用の糸２７を引上げた場合など、保持手段２６の対向する略線状部分間に吊下用支持部２４及び可動枠部２３を保持しようとする弾性力よりも、捕獲対象物９０を取込んだ網２０及び固定枠部２１に連結している吊下用支持部２４及び可動枠部２３に加わる下向きの荷重が大きくなると、保持手段２６を弾性変形させつつ吊下用支持部２４及び可動枠部２３が下方に相対移動することから、可動枠部２３が保持手段２６による拘束から解放され、この可動枠部２３が付勢力により固定枠部２１に沿う位置まで傾動して、可動枠部２３に取付けられたカバー２２で網入口部を覆うことができ、このカバー２２で網入口部を閉止して捕獲対象物９０が外に出ない状態を引上げの最後まで維持でき、捕獲物の損失を無くせる。
【００４４】
（本発明の第３の実施形態）
前記第２の実施形態に係る魚介類捕獲具において、保持手段２６はそれ自体が弾性変形可能とされ、吊下用支持部２４及び各可動枠部２３に加わる下向きの荷重が保持手段２６の略線状部材の弾性に基づく保持力を上回ると、略線状部材が弾性変形して可動枠部２３の下方への相対移動を許容し、可動枠部２３を拘束から解放する構成としているが、これに限らず、図１４及び図１５に示すように、保持手段３６の略線状部材下部を吊下用支持部３４や可動枠部３３が容易に略線状部材間から離脱可能な開放状態とする一方、保持手段３６を吊下用支持部３４側に近付ける向きに付勢する前記弾性体としてのばね３８を設ける構成とすることもできる。
【００４５】
この場合、糸３７による吊支状態で、吊下用支持部３４及び各可動枠部３３に加わる下向きの荷重が、ばね３８の付勢力以下の場合には、保持手段３６が各可動枠部３３を挟持拘束する（図１４参照）。一方、網３０内に捕獲対象物９０を有して前記下向きの荷重がばね３８の付勢力を上回る場合には、保持手段３６に対し吊下用支持部３４及び可動枠部３３がばね３８を弾性変形させつつ下方へ相対移動し、各可動枠部３３が拘束から解放されることとなる（図１５参照）。
【００４６】
可動枠部３３が拘束状態から解放されると、前記第２の実施形態と同様、付勢力で固定枠部３１に沿う位置まで傾動し、網３０の入口部をカバー３２で閉止する状態が得られる。こうして、ばね３８の付勢力で捕獲対象物９０等の荷重が大きくなった状態での引上げの際以外は確実に網３０入口部を開放状態に維持できることで、水中への投入の際などに誤って可動枠部３３が拘束から解放されて網入口部が閉じてしまうこともなく、適切に捕獲対象物９０を網内に誘引できる状態で水中への仕掛けが行えると共に、捕獲対象物９０が網内に存在する状態で引上げる際にはスムーズに可動枠部３３を動作させて捕獲対象物９０の網３０からの離脱を阻止できる。
【００４７】
また、本実施形態では、前記各図に示すように、保持手段３６を吊下用支持部３４と相互に所定範囲移動可能に連結し、吊下用支持部３４に対し保持手段３６が分離しない構成となっており、保持手段３６による吊下用支持部３４と可動枠部３３の挟持位置を常に一定にして確実に可動枠部３３を拘束状態とすることができると共に、引上げ用の糸３７の端部を吊下用支持部３４に取付けずに済み、糸３７を保持手段３６のみに取付けても捕獲具全体を適切に支持して引上げ可能である。
【００４８】
なお、前記第１ないし第３の各実施形態に係る魚介類捕獲具においては、固定枠部１１、２１、３１の枠形状を円形とし、可動枠部１３、２３、３３や吊下用支持部１４、２４、３４も固定枠部１１、２１、３１を半分に分割したものに相当する半円形状として形成する構成としているが、これに限らず、可動枠部の固定枠部に対する傾動が可能なものであれば固定枠部の枠形状を四角形等の多角形形状とすることもできる。さらに、固定枠部及び／又は可動枠部と吊下用支持部を必ずしも同様の枠形状とする必要はなく、固定枠部や可動枠部を円形、吊下用支持部を四角形状とするなど、異なる枠形状としてもかまわない。
【００４９】
また、前記第１ないし第３の各実施形態に係る魚介類捕獲具においては、吊下用支持部１４、２４、３４を固定枠部１１、２１、３１に対し傾動可能に取付け、非使用時は吊下用支持部１４、２４、３４を固定枠部１１、２１、３１に沿った状態として収納や持運び時の利便性を高められる構成としているが、これに限らず、吊下用支持部の両端を固定枠部の対向する二箇所に固定して吊下用支持部を固定枠部の上方に固定された状態で架設する構成としてもかまわない。
【符号の説明】
【００５０】
１、２              魚介類捕獲具
１０、２０、３０    網
１０ａ、２０ａ      底枠体
１１、２１、３１    固定枠部
１２、２２、３２    カバー
１３、２３、３３    可動枠部
１４、２４、３４    吊下用支持部
１５、２５、３５    餌保持部
１６、２６、３６    保持手段
１７、２７、３７    糸
１７ａ              分岐端部
３８                ばね
９０                捕獲対象物
【図１】
2010284099.tif 000003
【図２】
2010284099.tif 000004
【図３】
2010284099.tif 000005
【図４】
2010284099.tif 000006
【図５】
2010284099.tif 000007
【図６】
2010284099.tif 000008
【図７】
2010284099.tif 000009
【図８】
2010284099.tif 000010
【図９】
2010284099.tif 000011
【図１０】
2010284099.tif 000012
【図１１】
2010284099.tif 000013
【図１２】
2010284099.tif 000014
【図１３】
2010284099.tif 000015
【図１４】
2010284099.tif 000016
【図１５】
2010284099.tif 000017